(57)【要約】【課題】  静止誘導器を建屋に設置するときに静止誘導器を消火するための消火器の設置に要する施工・配管作業を不要にすること。【解決手段】  静止誘導器１０のタンク１４に冷却器１６と消火器１２を固定し、消火器１２に配管３６を接続し、配管３６の管路途中に開閉弁３８を設け、火災発生時に、制御箱２４内の制御器から開閉弁３８に対して消火指令を出力して開閉弁３８を開かせ、消火器１２内の消火剤を配管３６、放出口４０を介して静止誘導器１０の上方に向けて噴射する。【選択図】        図１
2005251826.tif 000002
【特許請求の範囲】
【請求項１】
鉄心と前記鉄心の周囲に巻き付けられた複数の巻線を可燃性冷却絶縁媒体とともに収納する静止誘導器と、前記静止誘導器を消火対象として前記静止誘導器に固定された消火器とを備え、前記消火器には、前記消火器内の消火剤を前記静止誘導器に向けて噴射するための配管が接続されてなる静止誘導器装置。
【請求項２】
鉄心と前記鉄心の周囲に巻き付けられた複数の巻線を可燃性冷却絶縁媒体とともに収納する静止誘導器と、前記静止誘導器を消火対象として前記静止誘導器に固定された消火器とを備え、前記消火器には、前記消火器内の消火剤を前記静止誘導器の上方から前記静止誘導器に向けて噴射するための配管と前記配管から分岐して前記静止誘導器内に消火剤を注入するための分岐配管が接続されてなる静止誘導器装置。
【請求項３】
鉄心と前記鉄心の周囲に巻き付けられた複数の巻線を可燃性冷却絶縁媒体とともに収納する静止誘導器と、前記静止誘導器を消火対象として前記静止誘導器に固定された消火器とを備え、前記消火器には、前記消火器内の消火剤を前記静止誘導器の上方から前記静止誘導器に向けて噴射するための配管と前記配管から分岐して前記配管内に冷却水を導入するための冷却水導入配管が接続されてなる静止誘導器装置。
【請求項４】
請求項１、２または３のうちいずれか１項に記載の静止誘導器装置において、前記静止誘導器は、鉄心と前記鉄心の周囲に巻き付けられた複数の巻線を可燃性絶縁媒体とともに収納するタンクと、前記タンクまたは冷却器を備えた前記タンクのいずれかに前記消火器が固定されてなることを特徴とする静止誘導器装置。
【請求項５】
請求項１、２または３のうちいずれか１項に記載の静止誘導器装置において、前記静止誘導器は、鉄心と前記鉄心の周囲に巻き付けられた複数の巻線を冷却絶縁媒体とともに収納するタンクと、前記タンクまたは冷却器を備えた前記タンクを固定する枠体とを備え、前記消火器は、前記枠体に固定されてなることを特徴とする静止誘導器装置。
【請求項６】
請求項１、２または３のうちいずれか１項に記載の静止誘導器装置において、前記静止誘導器は、鉄心と前記鉄心の周囲に巻き付けられた複数の巻線を冷却絶縁媒体とともに収納するタンクと、前記タンクまたは冷却器を備えた前記タンクを固定する枠体と、前記枠体に固定されて前記冷却器または前記タンクに対して送風する送風ファンとを備え、前記消火器は、前記枠体に固定されてなることを特徴とする静止誘導器装置。
【請求項７】
請求項１、２または３のうちいずれか１項に記載の静止誘導器装置において、前記静止誘導器に接続された配管の管路途中には開閉弁が配置され、前記開閉弁は、手動起動スイッチの操作に伴う消火指令に応答して管路を開いてなることを特徴とする静止誘導器装置。
【請求項８】
請求項１、２または３のうちいずれか１項に記載の静止誘導器装置において、前記静止誘導器から煙が発生したことを感知する煙感知器と、前記静止誘導器から炎及び熱が発生したことを感知する炎及び熱感知器とを備え、前記静止誘導器に接続された配管の管路途中には開閉弁が配置され、前記開閉弁は、前記煙感知器が煙を感知するとともに、前記炎感知器が炎及び熱を感知したことを条件とする消火指令に応答して管路を開いてなることを特徴とする静止誘導器装置。
【請求項９】
請求項１、２または３のうちいずれか１項に記載の静止誘導器装置において、前記静止誘導器の軽故障を検知する軽故障センサを備え、前記静止誘導器に接続された配管の管路途中には開閉弁が配置され、前記開閉弁は、前記軽故障センサが軽故障を検知したことを条件とする消火指令に応答して管路を開いてなることを特徴とする静止誘導器装置。
【請求項１０】
請求項１、２または３のうちいずれか１項に記載の静止誘導器装置において、前記静止誘導器の重故障を検知する重故障センサを備え、前記静止誘導器に接続された配管の管路途中には開閉弁が配置され、前記開閉弁は、前記重故障センサが重故障を検知したことを条件とする消火指令に応答して管路を開いてなることを特徴とする静止誘導器装置。
【発明の詳細な説明】
【技術分野】
【０００１】
本発明は、静止誘導器装置に係り、特に、油入り電気機器として、鉄心、複数の巻線、及び冷却絶縁媒体にて構成するに好適な静止誘導器装置に関する。
【背景技術】
【０００２】
油入り電気機器として、例えば、静止誘導器を建屋内に設置するに際しては、火災設備を設置することが義務付けられていることから、静止誘導器の近傍に火災検出装置を設置するとともに、火災検出装置と連動させたガス系消火装置および給水装置を配置する構成が採用されている(特許文献１参照)。
【０００３】
【特許文献１】特開平２−１５４４０６号公報（図１）
【発明の開示】
【発明が解決しようとする課題】
【０００４】
しかし、従来技術においては、静止誘導器を屋内に設置するに際しては、静止誘導器の他に火災検出装置とともに消火装置を配置しなければならず、しかも、消火装置を設置するには消火装置に消火剤を供給するための配管をすることが余儀なくされる。すなわち静止誘導器を設置するためには、それに付随して施工・配管作業などが必要となり、設置作業が面倒である。
【０００５】
本発明の課題は、静止誘導器を建屋に設置するときに静止誘導器を消火するための消火器の設置に要する施工・配管作業を不要にすることにある。
【課題を解決するための手段】
【０００６】
前記課題を解決するために、本発明は、静止誘導器と消火器とを一体化し、消火器には消火器内の消火剤を静止誘導器に向けて噴射するための配管を予め接続しておくようにしたものである。
【発明の効果】
【０００７】
本発明によれば、静止誘導器を建屋に設置するときに静止誘導器を消火するための消火器の設置に要する配管作業を不要にすることができ、設置作業を簡素化することができる。
【発明を実施するための最良の形態】
【０００８】
以下、本発明の一実施形態を図面に基づいて説明する。図１(ａ)は本発明の一実施例を示す静止誘導器装置の正面図、(ｂ)は静止誘導器装置の側面図である。
【０００９】
図１において、静止誘導器装置は、全装可搬型のものとして、静止誘導器（変圧器）１０と消火器１２とを備え、静止誘導器１０と消火器１２とが一体化されて構成されている。静止誘導器１０は、鉄心(図示せず)と鉄心の周囲に巻き付けられた複数の巻線（図示せず）、例えば、一次巻線および二次巻線を可燃性冷却絶縁媒体、例えば、シリコーン油とともに収納し、一次巻線からの電圧を変圧して二次巻線から出力するタンク１４と、タンク１４から冷却絶縁媒体としてのシリコーン油を導入して冷却し、冷却されたシリコーン油をタンク１４に戻す冷却器(ラジエータ)１６とを備えて構成されており、タンク１４の底部側が建屋のベース１８に固定されている。タンク１４の側面側にはブッシング２０が配置されており、正面側には冷却器１６を間にしてその両側に消火器１２と制御箱２４が配置されている。
【００１０】
タンク１４内には静止誘導器１０の各種軽故障を検出するためのセンサとして、例えば、油温が設定温度を超えたことを検出する温度計などが収納されており、タンク１４の上部側には静止誘導器１０の重故障を検出するセンサとして、例えば、タンク１４内の圧力が設定圧力を超えたことを検出して、タンク１４内の圧力を排出する避圧弁２６とタンク全面の内圧を感知する圧力センサ２６ａが設置されている。そして各軽故障を検出するためのセンサの信号や重故障を検出するためのセンサの信号は制御箱２４内の制御器（図示せず）に入力されるようになっている。
【００１１】
またタンク１４には、図２および図３（ａ）、（ｂ）に示すように、枠体２８が固定されており、冷却器１６が枠体２８に支持された状態でタンク１４に固定されている。さらに消火器１２はその周囲が補強材３０、３２に支持された状態で冷却器１６側面側の枠体２８に固定されている。また冷却器１６側面側の枠体２８には冷却器１６に対して冷却風を送風する送風ファン３４が固定されている。
【００１２】
静止誘導器１０を消火対象として枠体２８に固定された消火器１２の内部には、消火剤として、例えば、窒素ガスが封入されており、消火器１２には消火器１２内の消火剤を静止誘導器１０の上方から噴射するための配管３６が接続されている。配管３６の管路途中には開閉弁３８が設けられている。この開閉弁３８は、常時閉弁状態にあり、制御箱２４内の制御器からケーブル（図示せず）を介して開閉弁３８に対して消火指令が出力されたときに、この消火指令に応答して開弁するように構成されている。開閉弁３８が開弁されたときには、放出ポンプ(図示せず)が起動され、消火器１２内の消火剤が配管３６を介して放出口４０から静止誘導器１０に向けて噴射されるようになっている。
【００１３】
配管３６の放出口４０近傍には、静止誘導器１０から煙が発生したことを感知する煙感知器４２と、静止誘導器１０から炎及び熱が発生したことを感知する炎及び熱感知器４４と、静止誘導器１０から熱が発生したことを感知する熱感知器４６が設けられており、各感知器の出力による感知信号はケーブル（図示せず）を介して制御箱２４内の制御器に供給されるようになっている。この制御器には、静止誘導器１０から離れた所に設置された手動起動スイッチ(図示せず)からの信号が入力されるようになっている。
【００１４】
次に本実施例の作用を図４のフローチャートにしたがって説明する。まず、制御器は、手動起動スイッチがオンになったか否かを判定し(ステップＳ１)、手動起動スイッチが操作員などの操作によってオンになっていないときには、煙感知器４２と炎及び熱感知器４４及び熱感知器４６からそれぞれ感知信号が入力されたか否かの判定を行う(ステップＳ２)。煙感知器４２の感知信号と炎及び熱感知器４４の感知信号及び熱感知器４６の感知信号の論理積の条件が満たされないときにはステップＳ１の処理に戻り、煙感知器４２の感知信号と炎感知器４４の感知信号の論理積の条件が満たされたときには制御器から開閉弁３８に対して消火指令（制御信号）を出力して開閉弁３８を開弁させる(ステップＳ５)。この処理は、手動起動スイッチのオン時、静止誘導器１０の軽故障発生時または重故障発生時にも実行される。すなわち、手動起動スイッチがオンになったときにも制御器から開閉弁３８に対して消火指令を出力して開弁させる（ステップＳ１、Ｓ５）。さらに、静止誘導器１０の軽故障を検出するための軽故障センサから検出出力が出力されたとき、あるいは静止誘導器１０の重故障を検出するための重故障センサから検出出力が出力されたときにも同様に、制御器から開閉弁３８に対して消火指令を出力して開弁させる(ステップＳ３、Ｓ４、Ｓ５）。
【００１５】
開閉弁３８が開弁されると、放出ポンプが起動され(ステップＳ６)、消火器１２内の消火剤が高圧ポンプの起動に伴って配管３６を介して放射口４０から静止誘導器１０の上方に向けて噴射される(ステップＳ７)。これにより、静止誘導器１０に対して消火剤が噴射されて静止誘導器１０の火災を消火することができる。
【００１６】
このように、本実施例においては、全装可搬型静止誘導器装置として、静止誘導器１０と消火器１２とを一体化したため、静止誘導器１０を建屋のベース１８に設置するときに、消火器１２を設置するための施工・配管作業が不要となり、設置作業が容易となり、作業性の向上に寄与することができる。
【００１７】
次に、本発明の第２実施例を図５にしたがって説明する。本実施例は、消火器１２に接続された配管３６に、配管３６から分岐して静止誘導器１０のタンク１４内に消火剤を注入するための分岐配管３６ａを接続するようにしたものであり、他の構成は図１のものと同様である。
【００１８】
本実施例によれば、火災発生時には消火器１２内の消火剤が静止誘導器１０の上方に噴射されるとともに、タンク１４内に注入されるため、前記実施例よりもより確実に消火を行うことができ、安全性の向上に寄与することができる。
【００１９】
次に、本発明の第３実施例を図６にしたがって説明する。本実施例は、消火器１２に接続された配管の管路途中に配管３６から分岐して配管３６内に冷却水を導入するための冷却水導入配管３６ｂを接続し、この冷却水導入配管３６ｂを建屋の冷却水槽４６に接続するようにしたものであり、他の構成は図１のものと同様である。
【００２０】
本実施例においては、火災発生時には開閉弁３８を開くことで静止誘導器１０に対する消火を行うことができるとともに、火災発生時以外のときには、開閉弁３８を閉じた状態として、冷却水槽４６内の冷却水を冷却水導入配管３６ｂ、配管３６を介して放出口４０から静止誘導器１０に放水することで、静止誘導器１０が過負荷状態になっても、静止誘導器１０を十分に冷却することができ、夏場における静止誘導器１０の過負荷対策を実行でき、冬場には除雪にも役立つことができる。
【図面の簡単な説明】
【００２１】
【図１】(ａ)は本発明の一実施例を示す静止誘導器装置の正面図、(ｂ)は静止誘導器装置の側面図である。
【図２】冷却器および消火器の要部上面図である。
【図３】消火器および冷却器の要部側面図である。
【図４】図１に示す静止誘導器装置の作用を説明するためのフローチャートである。
【図５】(ａ)は本発明の第２実施例を示す静止誘導器装置の正面図、(ｂ)は同じく側面図である。
【図６】本発明の第３実施例を示す静止誘導器装置の正面図、(ｂ)は同じく側面図である。
【符号の説明】
【００２２】
１０  静止誘導器
１２  消火器
１４  タンク
１６  冷却器
２４  制御箱
２６  避圧弁
２８  枠体
３０、３２  補強材
３４  送風ファン
３６  配管
３８  開閉弁
４２  煙感知器
４４  炎及び熱感知器
４６  熱感知器
【図１】
2005251826.tif 000003
【図２】
2005251826.tif 000004
【図３】
2005251826.tif 000005
【図４】
2005251826.tif 000006
【図５】
2005251826.tif 000007
【図６】
2005251826.tif 000008